(57)【特許請求の範囲】
【請求項１】
太陽電池等からなる電源部と、該電源部からの低電圧を高電圧に変換する昇圧部と、該昇圧部からの高電圧を蓄電する蓄電部と、該蓄電部からの電力を駆動源として爆発音を雷鳴するスピーカーＳＰおよび閃光を発光するキセノンランプＫＬを有する威嚇作動部と、該威嚇作動部を起動させる放電部とからなる鳥獣害防止器において、前記威嚇作動部は、前記昇圧部からの高電圧を蓄電する高圧用コンデンサＣ１と、爆発音を雷鳴するスピーカーＳＰ及び閃光を発光するキセノンランプＫＬとを並列接続して、前記キセノンランプＫＬの一方はスピーカーＳＰを介して前記蓄電部のマイナス極に接続され、他方は前記蓄電部のプラス極に接続され、また前記キセノンランプＫＬの放電部にトリガー用コイルＬ３の一端が接続され、トリガー用コイルＬ３の他端は焦電型赤外線センサーＳを介して前記蓄電部のプラス極に接続されると共に、前記トリガー用コイルＬ３の中間接点は前記昇圧部のマイナス極から抵抗Ｒ２、ネオンランプNe、抵抗Ｒ３を介して前記蓄電部のプラス極に直列接続されて前記ネオンランプNe、抵抗Ｒ３と並列に接続された起動用コンデンサＣ２に接続されることを特徴とする鳥獣害防止器。
【発明の詳細な説明】
【０００１】
【発明の属する技術分野】
本発明は、鳥類や獣類が特定エリアに進入してきた時に、爆発音と閃光で鳥類や獣類を追い払うことができる鳥獣害防止器に関する。
【０００２】
【従来の技術】
従来、人や自動車が接近してきた時に、近接センサが作動してLED点灯、ブザー鳴動、もしくはゲートの開閉を行うことは公知の技術である。
上記公知技術として特開平１１−１９５１７６号公報があり、少なくとも１つの発電手段と、該発電手段により得られる電力を逐次蓄積するための蓄電素子と、対象物の接近により作動する近接センサと、光、音、もしくは機械的動作の出力装置と、前記蓄電素子からの電力を駆動源とし、前記出力装置を駆動する制御回路とで自立型情報発信装置を構成するものである。
しかし、雀等のように農作物等に被害をもたらす鳥獣においては、上記公知技術は一応の追い払いの効果を発揮するものであるが、学習する鳥獣においては音又は光に馴れることによって追い払いの効果を発揮しなくなる。
そこで、学習する鳥獣においては、一度経験することにより畏怖心を抱き、近づくことを避けるようにする必要がある。
【０００３】
【発明が解決しようとする課題】
そこで、本発明は、爆発音と閃光とにより、聴覚と視覚とを同時に刺激し、鳥獣に畏怖心を与えることができる鳥獣害防止器を提供することを目的とする。
【０００４】
【課題を解決するための手段】
本発明の鳥獣害防止器は、太陽電池等からなる電源部と、該電源部からの低電圧を高電圧に変換する昇圧部と、該昇圧部からの高電圧を蓄電する蓄電部と、該蓄電部からの電力を駆動源として爆発音を雷鳴するスピーカーＳＰおよび閃光を発光するキセノンランプＫＬを有する威嚇作動部と、該威嚇作動部を起動させる放電部とからなる鳥獣害防止器において、前記威嚇作動部は、前記昇圧部からの高電圧を蓄電する高圧用コンデンサＣ１と、爆発音を雷鳴するスピーカーＳＰ及び閃光を発光するキセノンランプＫＬとを並列接続して、前記キセノンランプＫＬの一方はスピーカーＳＰを介して前記蓄電部のマイナス極に接続され、他方は前記蓄電部のプラス極に接続され、また前記キセノンランプＫＬの放電部にトリガー用コイルＬ３の一端が接続され、トリガー用コイルＬ３の他端は焦電型赤外線センサーＳを介して前記蓄電部のプラス極に接続されると共に、前記トリガー用コイルＬ３の中間接点は前記昇圧部のマイナス極から抵抗Ｒ２、ネオンランプNe、抵抗Ｒ３を介して前記蓄電部のプラス極に直列接続されて前記ネオンランプNe、抵抗Ｒ３と並列に接続された起動用コンデンサＣ２に接続されるものである。
【０００５】
【実施例】
以下、本発明の一実施例を図面に基づいて説明する。
本発明の鳥獣害防止器は、図１に示すように、太陽電池等からなる電源部１と、該電源部１からの低電圧を高電圧に変換する昇圧部２と、該昇圧部２からの高電圧を蓄電する蓄電部４と、該蓄電部４からの電力を駆動源として爆発音を雷鳴するスピーカーＳＰおよび閃光を発光するキセノンランプＫＬを有する威嚇作動部３と、該威嚇作動部３を起動させる放電部５とからなる。
【０００６】
前記電源部１は、田圃や畑、ゴミ集荷場所などの野外で使用されるので、送電線がなくても利用できるように、乾電池、鉛蓄電池、太陽電池などの電池Eを使用する。
前記昇圧部２は、前記電源部１に直列に接続された昇圧トランスＴとトランジスタＱとからなり、前記電源部１のプラス極に前記昇圧トランスＴの二次コイルＬ２の一方を抵抗Ｒ１を介して接続し、二次コイルＬ２の他方をトランジスタＱのベース側に接続し、また前記電源部１のプラス極に前記昇圧トランスＴの一次コイルＬ１の一方を接続し、一次コイルＬ１の他方をトランジスタＱのコレクタ側に接続し、さらにトランジスタＱのエミッタ側を前記電源部１のマイナス極に接続する。
そして、二次コイルＬ２の中間接点からダイオードＤを介して前記威嚇作動部３のマイナス極に電気結線する。
【０００７】
前記威嚇作動部３には、前記昇圧部２からの高電圧を蓄電する蓄電部４、すなわち高圧用コンデンサＣ１と、爆発音を雷鳴するスピーカーＳＰ及び閃光を発光するキセノンランプＫＬとを並列接続する。
そして、前記キセノンランプＫＬの放電管中にはキセノンガスが充填され、前記キセノンランプＫＬの一方はスピーカーＳＰを介して蓄電部４のマイナス極に接続され、他方は前記蓄電部４のプラス極に接続される。
また、前記キセノンランプＫＬの放電部にトリガー用コイルＬ３の一端が接続され、トリガー用コイルＬ３の他端は焦電型赤外線センサーＳを介して前記蓄電部４のプラス極に接続される。
前記トリガー用コイルＬ３の中間接点は、蓄電部４のマイナス極から抵抗Ｒ２、ネオンランプNe、抵抗Ｒ３を介して蓄電部４のプラス極に直列接続され、前記ネオンランプNe、抵抗Ｒ３と並列に接続された起動用コンデンサＣ２に接続される。
【０００８】
次に、本発明の鳥獣害防止器の動作を図面に基づいて述べる。
電源部１の電池Eとしてバッテリー（鉛蓄電池）を使用し、前記電池Eのプラス極から昇圧部２の昇圧トランスＴを経て高電圧とされて、蓄電部４の高圧用コンデンサＣ１に高圧状態で蓄電される。
一方、焦電型赤外線センサーＳは鳥獣が進入してくる場所に設置し、進入位置に合わせてスピーカーＳＰ及びキセノンランプＫＬを配置する。
鳥獣が進入してきた場合は、焦電型赤外線センサーＳの赤外線量が変化するのでスイッチがONとなり、起動用コンデンサＣ２からトリガー用コイルＬ３、焦電型赤外線センサーＳを経て起動用コンデンサＣ２に戻る閉回路が形成され、トリガー用コイルＬ３に接続されているキセノンランプＫＬの放電部から高電流が放電され、キセノンランプＫＬが導通する。
前記キセノンランプＫＬが導通すると、高圧用コンデンサＣ１からキセノンランプＫＬ、スピーカーＳＰを経て高圧用コンデンサＣ１に戻る閉回路が形成されて高圧電流が一瞬時に流れるので、キセノンランプＫＬからは閃光が発光され、スピーカーＳＰからは爆発音が雷鳴される。
したがって、進入してきた鳥獣は、爆発音及び閃光により驚き、逃げて飛散すると共に人形又は人工構造物を配置しておけば、以後畏怖心により近づかなくなる。
【０００９】
高圧コンデンサＣ１は放電によりゼロとなるが、昇圧部２から高電圧が高圧コンデンサＣ１に充電され、順次スタンバイ状態に保持される。
又、同時に昇圧部２から高電圧が抵抗Ｒ２を介して起動用コンデンサＣ２にも充電される。
なお、ネオンランプNeは、本発明の鳥獣害防止器が作動しているかを点灯により表示するものである。
【００１０】
【効果】
以上述べた如く、本発明の鳥獣害防止器によれば、爆発音と閃光とにより、聴覚と視覚とを同時に刺激し、鳥獣に畏怖心を与えることができるので、鳥獣による農作物等の被害、ゴミ集荷場所等のトリ被害、又イヌ、ネコ等の団地、公園、保育園等のトイレ化も防止することができる。
【図面の簡単な説明】
【図１】本発明の鳥獣害防止器の配線回路図である。
【符号の説明】
１  電源部
２  昇圧部
３  威嚇作動部
４  蓄電部
５  放電部
【図１】
0003704111.tif 000002